【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
引き出しを長手方向ガイド（３）に掛止するフッキング装置（１）であって、前記引き出し（２）の前面および底面の少なくとも一方に固定可能な支持ボディ（４）を備え、前記ガイド（３）に前記支持ボディ（４）のフッキング機構（１３）の振動指令レバー（１２）が設けられるフッキング装置（１）において、
前記支持ボディ（４）は前記引き出し（２）に固定可能なボディの第１の部分（１６）とボディの前記第１の部分（１６）に摺動自在に接続されかつ前記ガイド（３）の少なくとも長手方向に調整自在に定置可能な少なくともボディの第２の部分（１７）とを備え、前記レバー（１２）および前記フッキング機構（１３）は前記ガイド（３）の長手方向におけるその変位状態でボディの前記第２の部分（１７）に強固に拘束されており、前記ガイド（３）の長手方向において前記ガイド（３）に関して前記引き出し（２）の位置を調整すべく前記ガイド（３）の長手方向におけるボディの前記第１の部分（１６）に関してボディの前記第２の部分（１７）の位置を変更するために、少なくとも第１の調整手段がさらに設けられている
ことを特徴とするフッキング装置（１）。
【請求項２】
請求項１に記載の、引き出しを長手方向ガイド（３）に掛止するフッキング装置（１）において、
ボディの前記第２の部分（１７）は、前記ガイド（３）に関して前記引き出し（２）の位置の高さを調節するために前記ガイド（３）の長手方向に垂直である第１の方向において前記支持ボディ（４）の位置を変更するように予定された第２の調整手段を備える
ことを特徴とするフッキング装置（１）。
【請求項３】
請求項１または２に記載の、引き出しを長手方向ガイド（３）に掛止するフッキング装置（１）において、
前記支持ボディ（４）は、ボディの前記第１の部分（１６）に摺動自在に接続されかつ前記引き出しの平面に平行であるとともに前記ガイド（３）の長手方向に垂直である第２の方向において調整自在に定置可能である少なくともボディの第３の部分（４２）を備え、ボディの前記第２の部分（１７）はボディの前記第３の部分（４２）に摺動自在にさらに接続されておりかつ前記ガイド（３）の長手方向に調整自在に定置可能であり、前記ガイド（２）に関して前記引き出し（３）の位置を横方向に調整するために、ボディの前記第２の部分（１７）およびボディの前記第３の部分（４２）を備えるアセンブリの位置をボディの前記第１の部分（１６）に関して前記第２の方向において変更するように予定された第３の調整手段がさらに設けられる
ことを特徴とするフッキング装置（１）。
【請求項４】
請求項３に記載の、引き出しを長手方向ガイド（３）に掛止するフッキング装置（１）において、
前記第３の調整手段は、前記レバー（１２）の振動の支点（２９）に関して前記第１の調整手段と同じ側に定置される
ことを特徴とするフッキング装置（１）。
【請求項５】
請求項２〜４のいずれか一項に記載の、引き出しを長手方向ガイド（３）に掛止するフッキング装置（１）において、
前記第２の調整手段は、前記第１の方向に配向された回転軸（４０）を有するボディの前記第２の部分（１７）に蝶着されたくさび形要素（３９）を備える
ことを特徴とするフッキング装置（１）。
【請求項６】
請求項５に記載の、引き出しを長手方向ガイド（３）に掛止するフッキング装置（１）において、
前記第２の調整手段は、前記くさび形要素（３９）を作動させる手動把持要素（４１）をさらに備える
ことを特徴とするフッキング装置（１）。
【請求項７】
請求項２〜６のいずれか一項に記載の、引き出しを長手方向ガイド（３）に掛止するフッキング装置（１）において、
前記第２の調整手段は、前記レバー（１２）の振動の支点（２９）に関して前記第１の調整手段とは反対側に定置される
ことを特徴とするフッキング装置（１）。
【請求項８】
請求項１〜７のいずれか一項に記載の、引き出しを長手方向ガイド（３）に掛止するフッキング装置（１）において、
前記第１の調整手段はウォームねじ（３４）に同軸状に螺合されたホイール（３３）を備え、前記ホイール（３３）はその軸を中心として１つの回転自由度を示すようにボディの前記第１の部分（１６）に拘束され、前記ウォームねじ（３４）はボディの上記第２の部分（１７）に固定されかつガイド（３）の長手方向に配向される
ことを特徴とするフッキング装置（１）。
【請求項９】
請求項８に記載の、引き出しを長手方向ガイド（３）に掛止するフッキング装置（１）において、
前記ホイール（３３）は台座（３５）に定置され、前記台座（３５）は、操作窓（３６）が重ねられるボディの前記第１の部分（１６）の中に提供され、前記ホイール（３３）を手動で作動させるためにボディの前記第２の部分（１７）の中に提供される
ことを特徴とするフッキング装置（１）。
【請求項１０】
請求項３〜７のいずれか一項に記載の、引き出しを長手方向ガイド（３）に掛止するフッキング装置（１）において、
前記第１の調整手段は、ボディの前記第３の部分（４２）の表面に提供される円筒ガイド孔（５４）に回転自在に拘束された円筒ピン（５３）と、前記ピン（５３）によって偏心位置に支持されかつボディの前記第２の部分（１７）の表面に提供されるスロット（５６）に係合されたカム（５５）とを備える
ことを特徴とするフッキング装置（１）。
【請求項１１】
請求項１０に記載の、引き出しを長手方向ガイド（３）に掛止するフッキング装置（１）において、
前記第１の調整手段は、前記カム（５５）を作動させる手動把持要素（５７）をさらに備える
ことを特徴とするフッキング装置（１）。
【請求項１２】
請求項３に記載の、引き出しを長手方向ガイド（３）に掛止するフッキング装置（１）において、
前記第３の調整手段は、ボディの前記第１の部分（１６）の表面に提供される円筒ガイド孔（５９）に回転自在に拘束された円筒ピン（５８）と、該ピン（５８）によって偏心位置で支持されかつボディの前記第３の部分（４２）の表面に提供されるスロット（６１）に係合されたカム（６０）とを備える
ことを特徴とするフッキング装置（１）。
【請求項１３】
請求項１２に記載の、引き出しを長手方向ガイド（３）に掛止するフッキング装置（１）において、
前記第３の調整手段は、前記カム（６０）を作動させる手動把持要素（６２）をさらに備える
ことを特徴とするフッキング装置（１）。
【請求項１４】
請求項１に記載の、引き出しを長手方向ガイド（３）に掛止するフッキング装置（１）において、
ボディの前記第２の部分（１７）は、互いに平行である垂直タブ（２６）を有するベースプレート（２５）を備え、該ベースプレート（２５）は、前記ガイド（３）の長手方向にボディの前記第２の部分（１７）を摺動させるボディの前記第１の部分（１６）の対応する垂直タブ（２０、２１）と摺動自在に係合する
ことを特徴とするフッキング装置（１）。
【請求項１５】
請求項３に記載の、引き出しを長手方向ガイド（３）に掛止するフッキング装置（１）において、
ボディの前記第１の部分（１６）は、前記ガイド（３）の長手方向に垂直であるガイドリブ（５１）を有するプレート（４４）を備え、該プレート（４４）はボディの前記第３の部分（４２）のプレート（４６）の前端および後端と連携する
ことを特徴とするフッキング装置（１）。
【請求項１６】
請求項３または１５に記載の、引き出しを長手方向ガイド（３）に掛止するフッキング装置（１）において、
ボディの前記第３の部分（４２）は、前記ガイド（３）の長手方向に形成する突起（５２）を備え、該突起（５２）に対する相補的形状を有してボディの前記第２の部分（１７）に提供される凹所（７０）に摺動自在に係合される
ことを特徴とするフッキング装置（１）。
【手続補正２】
【補正対象書類名】明細書
【補正対象項目名】０００９
【補正方法】変更
【補正の内容】
【０００９】
しかしながら、このような解決策は、先に挙げたように、新たな調整装置を備える必要があることから引き出しの構造が一層複雑になりかつ費用が嵩むことになる。米国特許公開公報２００４／０２２７４４０号明細書には、従来の引き出しを長手方向ガイドに掛止するフッキング装置を開示している。
【手続補正３】
【補正対象書類名】明細書
【補正対象項目名】００１３
【補正方法】変更
【補正の内容】
【００１３】
本発明の上記およびさらなる目的は、引き出しの前面および／または底面に固定されうる支持ボディを備え、かつガイドに支持ボディのフッキング機構の振動指令レバーが備えられる長手方向ガイドに引き出しを掛止するフッキング装置によって達成され、上記支持ボディは、引き出しに固定されうるボディの第１の部分と、ガイドの少なくとも長手方向に調整自在に定置されうるボディの上記第１の部分に摺動自在に接続されたボディの少なくとも１つの第２の部分とを備え、上記レバーおよび上記フッキング機構はガイドの長手方向におけるその変位状態でボディの上記第２の部分にしっかりと拘束されており、ガイドの長手方向においてガイドに対して引き出しの位置を調整するガイドの長手方向におけるボディの第１の部分に対してボディの上記第２の部分の位置を変更するために第１の調整手段がさらに備えられることを特徴とする。
【手続補正４】
【補正対象書類名】明細書
【補正対象項目名】００２４
【補正方法】変更
【補正の内容】
【００２４】
フッキング装置１は、引き出し２の前面５と引き出し２の肩部６との間の角度で引き出し２の底面の外側に定置された支持ボディ４を備える。
支持ボディ４は、ガイド３に対する支持ボディ４のフッキング機構１３の振動指令レバー１２が備えられる。